Podtech/llm-jp-corpus-v4-ja_patent huggingface dataset:
(57)【要約】      （修正有）【課題】機動性及び捕獲性能の高い小型・軽量囲いわなを提供する。【解決手段】ニホンジカが入るのを拒まない範囲に全体のサイズを絞り、容易に移設等できるよう少数のボルトでパネル枠を繋ぎ組み立てる方式とするとともに、わな内部に張ったワイヤーに触れるとその振動がワイヤーを伝わり背面のパネル枠にセットした板バネ式ねずみ取り５ａの板バネを起動させ、これに繋げたワイヤーがＴ型パイプ５ｂの止め棒５ｃを瞬時に抜くことにより自重のある開閉扉を感度良く落として捕獲する。【選択図】図１
0003225613.tif 000002
【実用新案登録請求の範囲】
【請求項１】
ニホンジカが入るのを拒まない範囲に全体のサイズを絞り、容易に移設等できるよう少数のボルトでパネル枠を繋ぎ組み立てる方式とするとともに、わな内部に張ったワイヤーに触れるとその振動がワイヤーを伝わり背面のパネル枠にセットした板バネ式ねずみ取りの板バネを起動させ、これに繋げたワイヤーがＴ型パイプの止め棒を瞬時に抜くことにより自重のある開閉扉を感度良く落として捕獲する小型・軽量囲いわな
【考案の詳細な説明】
【技術分野】
【０００１】  本考案は、小型・軽量、組立・解体も容易なものにし、運搬、設置箇所の変更を楽にできるようにした、また、板バネ式ねずみ取り等を組み合わせ感度の高いトリガー部を構成した、さらに、忍び返し等の工夫も一部取り込んだ、機動性及び捕獲性能を高めた小型軽量囲いわなである。
【背景技術】
【０００２】  ニホンジカは、深刻な被害をもたらしているが、季節毎に採餌や繁殖の場所を変えており、捕獲を難しくしている。また、ひとたび一個体がわなに捕らえられると、それを見た他の個体は当該わなの所在とその危険性を学習し、そのわなを避けて移動するようになる。
このため、季節毎の生息位置や学習状況等を勘案しながら、わなを移設していかなければ捕獲は難しいものとなる。
しかし、従前のわなは、大きく重く、組立・解体にも難があり、移設は労苦を伴う困難なものとなっていた。また、わなの開閉扉は頑強で重量があるため、これを通常時は吊るしつつ支え、かつ、捕獲時には落とすきっかけを与えるトリガー部も丈夫なものとなりやすく、その反動として感度は劣るものとなりがちであった。
【考案が解決しようとする課題】
【０００３】  ニホンジカは、季節毎に生息場所を変えており、わなの危険性を学習しスレた個体も出てくることから、ニホンジカの捕獲を進めていくためには、適時に移設しやすい、かつ、より感度の良いわなが必要となる。
従って、ニホンジカが入るのを拒まない範囲でサイズを絞り込み、わなを小型・軽量にするとともに、少ないボルト留め数でパネル枠を繋ぎ組み立てる方式とすることにより組立・解体を容易なものにし、また、板バネ式ねずみ取り等を組み合わせてトリガー部の感度を高めること等により、ニホンジカの移動や警戒の程度に応じたわなの迅速な移設、高い感度等を実現することを通じて、前述の背景技術に明らかにした従前の囲いわなの欠点を解決しようとするものである。
【課題を解決するための手段】
【０００４】  本考案は、ニホンジカが入るのを拒まない範囲でサイズを絞り込み、わなを小型・軽量にするとともに、少ないボルト留め数でパネル枠を繋ぎ組み立てる方式とすることにより組立・解体を容易なものにし、また、板バネ式ねずみ取り等を組み合わせてトリガー部の感度を高めること等により、ニホンジカの移動や警戒の程度に応じたわなの迅速な移設、高い感度等を実現することを通じて、前述の課題を達成している。
【考案の効果】
【０００５】  上述のように、シカの行動に対処して最適な場所に容易に移設することが可能となり、また、わなの感度等も向上したことから、着実に捕獲実績をあげている。
【図面の簡単な説明】
【０００６】
【図１】  本考案の機動性及び捕獲性能の高い小型・軽量囲いわなの構造を表す全体図である。
【図２】  図１を補完する前面正面図、横面正面図、後面正面図である。
【考案を実施するための形態】
【０００７】  ニホンジカなどの動物が本考案のわなに入り内部に張ったワイヤーに接触すると、そのワイヤーの先に繋がる板バネ式のネズミ取りのストパーが外れ、板バネが起動する。その板バネのエネルギーを用いて、開閉扉に繋がるワイヤーを掛けたＴ型パイプを留めているパイプ止め棒を高速かつ確実に引き抜く。Ｔ型パイプには、開閉扉に繋げたワイヤーの先端を輪にして引っかけており、開閉扉を吊り上げた状態ではテンションが掛かっているが、パイプ止め棒が引き抜かれるとＴ型パイプは回転してワイヤー先端の輪が外れる。テンションは一気に解放され、間髪なく確実に開閉扉は自重で落下し、動物をわな内部に捕獲する。
上方が開いた囲いわなであるが、底面積は絞る一方で高さは飛び出せないよう一定とることにより、また、高さも含め絞り込みさらに小型化したものについてはわな上部に忍び返しの構造も付加することにより、ニホンジカは上方に飛び出し逃げることができない。なお、よじ登ることのできるツキノワグマ等は、上方が開いていることから容易に脱出でき、誤捕獲を避けられる。
わなは、軽量で下方も開いており、捕獲された動物が暴れた場合、その衝撃により倒れて逃げられる懸念があるが、頑強にわなを固定し転倒を防ぐため、複数の支柱を外枠の底部に打つ構造としている。
【実施例】
【０００８】以下、添付図面に従って実施例を説明する。
図１は本考案のわなの全体の構造を表したもので、上方が開き、縦、横、奥行きのサイズが絞られた小型・軽量の囲いわなとなっている。
２ａは開口側の枠で、２ｂの開閉扉を昇降できる構造としている。また、背面と同様、ボルト及びナットで横面の枠パネルと簡単に結合できる構造としている。さらに、わなを地面に強固に固定するため、枠の底面に支柱を複数打てるよう穴等を設けている。
３ａと３ｂは横面をなす枠パネルである。高さも絞り込みより小型・軽量にしたものには、捕獲したニホンジカが飛び出せないよう、その上部に忍び返し３ｃと３ｄを付ける。
４ａは背面の枠パネルで、５ａは板バネ式ネズミ取り、５ｂはＴ型パイプ、５ｃはパイプ止め棒で、これらをワイヤーで結合して感度の良いトリガー部を構成している。これらの組み合わせは本考案をなす工夫の一つでありセットにするものとして調整している。また、４ｂ、４ｃ、４ｄ、４ｅ、４ｆ、４ｇはボルト及びナットで横面の枠パネルと簡単に結合できる構造としている。さらに、わなを地面に強固に固定するため、枠の底面に支柱を複数打てるよう穴等を設けている。
なお、図２は、図１を補完する前面正面図、横面正面図、後面正面図である。
【図１】
0003225613.tif 000003
【図２】
0003225613.tif 000004
【手続補正書】
【提出日】令和1年12月26日(2019.12.26)
【手続補正１】
【補正対象書類名】実用新案登録請求の範囲
【補正対象項目名】全文
【補正方法】変更
【補正の内容】
【実用新案登録請求の範囲】
【請求項１】
ニホンジカが入るのを拒まない範囲に全体のサイズを絞り、容易に移設等できるよう少数のボルトでパネル枠を繋ぎ組み立てる方式とするとともに、わな内部に張ったワイヤーに触れるとその振動がワイヤーを伝わり背面のパネル枠にセットした板バネ式ねずみ取りの板バネを起動させ、これに繋げたワイヤーがＴ型パイプの止め棒を瞬時に抜くことにより自重のある開閉扉を感度良く落として捕獲する小型・軽量囲いわな
(57)【要約】      （修正有）【課題】手の平が上を向く洗顔時等、袖口ゴムのゴムの作用で細かな隙間が生じて、水が侵入する不都合を解決する防水腕カバーを提供する。【解決手段】防水腕カバー１の袖口は、ゴム８で覆われ、更にベルトを備え、ベルト内部２はテープでその片側に山並３を成形し、外部と先端に面ファスナー４、７を備え、腕カバー周囲にフリル９を設けた。【選択図】図１
0003225615.tif 000002
【実用新案登録請求の範囲】
【請求項１】
防水腕カバーの袖口はベルトとゴムで輪となり、ベルトは長くその先端と外部に面ファスナーを備え、ベルト内部の片側に山型図１を設け、腕カバー周囲にフリルを設けた防水腕カバーである。
【考案の詳細な説明】
【技術分野】
【０００１】  本考案は防水腕カバーに関するものであり水との関わりにおいて形状、構造に工夫を加えたものである。
【背景技術】
【０００２】  従来の防水腕カバーは袖口がゴムである。
【考案の開示】
【考案が解決しようとする問題】
【０００３】  袖口ゴムの防水腕カバーは、ゴムの作用で細かな隙間を有し洗顔時、手のひらが上を向く動作では、袖口から水の侵入、浸透と、腕カバー外部からも肘まで伝う水は衣服を濡らす危惧もある。この不都合の解決を課題とする。
【課題を解決するための手段】
【０００４】    防水腕カバーの袖口はベルトとゴムで輪となりベルトは長くその先端と外部に面ファスナーを備え、ベルト内部の片側に山型図１を設け、腕カバー周囲にフリルを設けた防水腕カバーである。
【考案の効果】
【０００５】  本考案のベルトは、腕を一周し自己サイズの適応する位置に、留めることで使用後、腕にきつい跡を残すこともない。
【発明の効果】
【０００６】  ベルトは片側内部に山型図１を設けて自己サイズに留めることを特徴とする。
【図面の簡単な説明】
【０００７】
【図１】  防水腕カバーの平面図
【符号の説明】
【０００８】  １  防水腕カバー
２  ベルトの内部
３  山型
４  先端面ファスナー
５  手の方
６  腕の方
７  外部面ファスナー
８  袖口のゴム
９  フリル
１０  肘のゴム
【図１】
0003225615.tif 000003
【手続補正書】
【提出日】令和1年12月25日(2019.12.25)
【手続補正１】
【補正対象書類名】実用新案登録請求の範囲
【補正対象項目名】全文
【補正方法】変更
【補正の内容】
【実用新案登録請求の範囲】
【請求項１】
防水腕カバーの袖口は、ゴムで覆われ、更にベルトを備え、ベルト内部はテープでその片側に山並を成形し、外部と先端に面ファスナーを備え、腕カバー周囲にフリルを設けた防水腕カバー。
(57)【要約】      （修正有）【課題】フードと頭を一体化させることで、フードを着用した状態で、頭を左右上下に振った時に、視界を遮らないフードを提供する。【解決手段】インナーとアウターから成るフードに於いて、インナーにストッパー付ゴム紐を側面と後部に挿通し、インナーとアウターを合体させる。フードを裾ゴムの帽子を着用しているような状態にして、頭とフードを一体化させる。【選択図】図６
0003225614.tif 000002
【実用新案登録請求の範囲】
【請求項１】
頭を上下左右に動かした際に、フードが視野を妨げないように、帽子を着用しているようにフードをフィットさせることで、視野確保ができるフード。
【考案の詳細な説明】
【技術分野】
【０００１】  本考案は、頭とフードを固定することで、頭を動かした際に、視野を確保したフードに関するものである。
【背景技術】
【０００２】  従来、フードと頭が固定されていないために、頭を左右に振るとフードが邪魔をして視野を狭めたり、片目の視野が塞がれ距離感を失う場合が起こり、不都合や危険さえ感じる事がある。
【考案の概要】
【考案が解決しようとする課題】
【０００３】  フードと頭を一体化させて、フードを頭と同じ動きをさせる事で、視野確保をすることを目的とする。
【課題を解決するための手段】
【０００４】  本考案は、帽子を着用してるようなフィット感を、フードのインナーに持たせることで、フードと頭を一体化させて、フードが頭と同様の動きをすることで視野確保の課題を解決している。
【考案の効果】
【０００５】  鍔にあたる部分以外の帽子の裾部分に、長さを調整できるようなストッパー付ゴム紐を通し、フードのインナーを作り込むことで、ゴムを使用しない正面フロント部分は視野確保され、両側面から後部はサイズ調整のできるゴム紐でフードと頭を適度に固定し、頭を動かしてもフードのインナーが一緒に動くことで、視野確保が可能になる。【０００６】  長さ調整可能なゴムストッパーを使うことで、ゴムのフィット感を自由に調整ができ、頭の大きさも幅広く対応できる。【０００７】  フードのインナーとアウターを作り、縫い合わせる事でインナーの皴感が表にでないので、一般的なフードを着用しているように見える。
【図面の簡単な説明】
【０００８】
【図１】一般的なフード着用図である。
【図２】帽子の裾がゴムになったの帽子着用図である。
【図３】ゴム紐を締めたフードインナーの図である。
【図４】ゴム紐を緩めたフードインナーの図である。
【図５】合体させるフードのアウター図である。
【図６】インナーとアウターを合体させたフード着用図である。
【考案を実施するための形態】
【０００９】  フードのインナー部分の上半分が、ゴム紐仕様の裾になった帽子のように作り、フードと頭を一体化できるようにして、それにフードのアウターを合体させることで、普通のフードに見えて、頭の動きに追随する機能を作り出す。
【実施例】
【００１０】  以下、添付図面に従って実施例を説明する。
図１の一般的なフードは、頭とフードを固定する部分が無いために、頭を左右に振ると、動かないフードが視野を妨げる。【００１１】  図２のように帽子着用すれば、頭と帽子が一体化されて、同じ動きをすることに着目して、図３のように、ゴム仕様の帽子の裾の下に布を延長させたように、フードのインナーを作ると、ゴム紐のストッパーを緩めた時に、図４のように、通常のフードの形状に近いものになる。【００１２】  このフードのインナーに、図５のフードのアウターを縫い合わせたり、ボタンやファスナーで合体させたりすることで、頭と一緒に動くインナーの動きに連動することができる。【００１３】  フードをインナーとアウターの合体により、図６のように点線のインナー部分のゴム紐を絞っても、アウターには影響しないで、通常のフードを着用しているように見える。
【産業上の利用可能性】
【００１４】本考案は、従来のフード着用目的である冬の防寒・防風・防雨だけでなく、フードの形状や素材によって、通気性を確保することで、帽子代わりに、遮光・遮熱目的の夏にも利用できる可能性を有している。
【図１】
0003225614.tif 000003
【図２】
0003225614.tif 000004
【図３】
0003225614.tif 000005
【図４】
0003225614.tif 000006
【図５】
0003225614.tif 000007
【図６】
0003225614.tif 000008
【手続補正書】
【提出日】令和1年12月25日(2019.12.25)
【手続補正１】
【補正対象書類名】実用新案登録請求の範囲
【補正対象項目名】全文
【補正方法】変更
【補正の内容】
【実用新案登録請求の範囲】
【請求項１】
頭を上下左右に動かした際に、フードが視野を妨げないように、インナーとアウターから成るフードに於いて、インナーにはストッパー付ゴム紐を側面と後部に挿通し、インナーとアウターを合体させることを特徴として、視野の確保を可能にしたフード。
(57)【要約】【課題】  破れにくく、縫製しやすいパンツを提供する。【解決手段】  前身頃１と後ろ身頃３とが縫い合わされたパンツであって、前記前身頃１は、股刳り幅Ｗ４がヒップライン幅Ｈの約１／３の寸法とされており、前記後ろ身頃３は、前記前身頃１と同寸法の生地３１の股刳り２ｃを該股刳り２ｃのカーブに沿って加熱延伸されたものであることを特徴とする。【選択図】        図１
0003225032.tif 000002
【実用新案登録請求の範囲】
【請求項１】
前身頃と後ろ身頃とが縫い合わされたパンツであって、
前記前身頃は、股刳り幅がヒップライン幅の約１／３の寸法とされており、
前記後ろ身頃は、前記前身頃と同寸法の生地の股刳りを該股刳りのカーブに沿って加熱延伸されたものである、ことを特徴とする前記パンツ。
【考案の詳細な説明】
【技術分野】
【０００１】
本考案は、パンツ（ズボンとも言う。）に関する。
【背景技術】
【０００２】
パンツは、一般に、原型に基づいて前身頃と後ろ身頃のパターン（型紙）を作図し、作図したパターンに沿って生地を裁断して、生地から前身頃と後ろ身頃を切り出し、切り出した前身頃と後ろ身頃とを縫い合わせて制作される。
【０００３】
この原型は、様々な体型の人にも比較的合いやすく、またパターンの制作を簡易化し、あらゆるデザインの作図の基本となる。
【０００４】
パンツの原型は、一般的に、図２に示すように、前身頃と後ろ身頃とで異なる形状をしている。前身頃１は、股上丈Ｌ１の位置の股上線Ｌ２上に、股刳り幅Ｗ１（前股刳り幅）をとる。このとき、股上線Ｌ２上に、腰丈Ｌ３の位置にあるヒップライン幅Ｈと等しい幅Ｗ２をとり、この幅Ｗ２を４等分した寸法を股刳り幅Ｗ１（前股刳り幅）とする。ヒップライン幅Ｈは、尻周り寸法の１／４とされる。前股刳り２ａは、股刳り先端２ｂから腰丈Ｌ３のヒップラインの位置（ヒップライン幅Ｈの位置）にかけて緩やかなカーブを形成する。後ろ身頃３は、一般に、前身頃１に比べて、股刳り幅Ｗ３（後ろ股刳り幅）が広く形成される。また、股上線Ｌ２より上の部分は、一般的に、前身頃１では股下の部分が延びる方向Ｘとほぼ同方向に延び、前中心線４ａも折山線Ｌ４に概ね沿って延びるが、後ろ身頃３では股下の部分が延びる方向Ｘに対して傾きを持って延び、後ろ中心線４ｂも折山線Ｌ４に対し大きく傾斜する。折山線Ｌ４は、渡り寸法（股上線Ｌ２の寸法）の真ん中を通る線である。
【先行技術文献】
【特許文献】
【０００５】
【非特許文献１】２００４年３月１日、文化出版局発行、「衣服解剖学」、２１５〜２４１頁
【非特許文献２】２００８年２月１５日、文化出版局発行、文化服飾学院編「文化ファッション体系  服飾造形講座９  メンズウェア（体型・シャツ・パンツ）」、第４章
【考案の概要】
【考案が解決しようとする課題】
【０００６】
しかしながら、従来のパンツは、図２に示すように、後ろ身頃３の後ろ股刳り２ｃと後ろ股下線５ｂとが交差する三角の部分６が、前身頃１に比べて突き出し、三角の部分６の頂角αが前身頃１のそれに比して小さいため、くせが取りにくく、三角の部分６が破れやすい。また、このような三角の部分６は、縫製も難しく、特に縫製初心者は苦労する部位で、俗に魔の三角地帯と呼ばれている。
【０００７】
本考案は、上記問題を解消し、破れにくく、縫製しやすいパンツを提供することを主たる目的とする。
【課題を解決するための手段】
【０００８】
上記問題を解決するため、本考案は、前身頃と後ろ身頃とが縫い合わされたパンツであって、前記前身頃は、股刳り幅がヒップライン幅の約１／３の寸法とされており、前記後ろ身頃は、前記前身頃と同寸法の生地の股刳り部分を股刳りのカーブに沿って加熱延伸されたものであることを特徴とする。
【考案の効果】
【０００９】
本考案によれば、前身頃の股刳り幅が従来より広くなる一方、後ろ身頃の股刳り幅が従来より狭くなって三角の部分の頂角が従来より大きくなるため、縫製がし易くなる。また、後ろ身頃は、前記前身頃と同寸法の生地の股刳り部分を股刳りのカーブに沿って加熱延伸されたものであるため、体積が長さになって、尻の部分が上に上がりヒップアップとなるため、着用時に綺麗になり優雅で履き心地が良い。また、前身頃の股刳り幅は従来より広く、前身頃のチャックのつくところのカーブが緩くなるため、チャックを前身頃の下方深くまでつけることができ、用をたす際に楽にできる。また、前身頃と後ろ身頃が同じ寸法の生地を利用するため、前身頃と後ろ身頃の製図が簡易化できる。
【図面の簡単な説明】
【００１０】
【図１】本考案に係るパンツの一実施形態の前身頃と後ろ身頃を示す平面図である。
【図２】従来のパンツの一般的な前身頃と後ろ身頃を示す平面図である。
【考案を実施するための形態】
【００１１】
本考案に係るパンツの実施形態について、以下に図１を参照して説明する。なお、従来技術を含め、同一又は類似の構成要素には同符号を付している。
【００１２】
図１は、本考案に係るパンツの一実施形態の前身頃と後ろ身頃を示す平面図である。前身頃１は、股刳り幅Ｗ４がヒップライン幅Ｈの約１／３の寸法とされている。すなわち、股刳り幅Ｗ４は、（１／３）×Ｈ±１ｃｍとされる。ヒップライン幅Ｈは、採寸された尻周り寸法の１／４に相当する。
【００１３】
後ろ身頃３は、前身頃１と同寸法のパターンに裁断された生地３１を用意し、その生地３１の股刳り２ｃを股刳り２ｃのカーブに沿って加熱延伸することにより形成される。パンツの生地には、ウール、綿、麻、レーヨン、ポリエステル等が好適に用いられ得る。
【００１４】
後ろ身頃３の股刳り２ｃの加熱延伸は、例えば、股刳り２ｃの両端を離反方向に引っ張りながら、股刳り２ｃのカーブに沿ってアイロンを当てて、破線で示された生地３１を、約３ｃｍ程度、上（矢印Ｙ方向）に伸ばして実線で示す形状とすることより成し得る。
【００１５】
このようにして形成された前身頃１と後ろ身頃３とが縫い合わされて、パンツが作られる。
【００１６】
上記構成を有するパンツは、前身頃１の股刳り幅Ｗ４が従来より広くなる一方、後ろ身頃３の股刳り幅Ｗ５が従来より狭くなって三角の部分６の頂角βが従来より大きくなるため、縫製がし易くなる。
【００１７】
また、後ろ身頃３は、前身頃１と同寸法の生地３１の股刳り２ｃを股刳り２ｃのカーブに沿って加熱延伸されているため、体積が長さになって、尻の部分が上に上がりヒップアップとなるため、着用時に綺麗になり優雅で履き心地の良いものとなる。
【００１８】
また、前身頃１の股刳り幅Ｗ４は従来幅（Ｗ１）より広く、前身頃１のチャック（図示せず。）のつくところのカーブが緩くなるため、チャックを前身頃１の下方深くまでつけることができ、用をたす際に楽にできる。
【００１９】
また、前身頃１と後ろ身頃３が同じ寸法の生地を利用するため、前身頃１と後ろ身頃３の製図が簡易化できる。
【符号の説明】
【００２０】
１  前身頃
２ａ  股刳り
２ｃ  股刳り
３  後ろ身頃
Ｈ  ヒップライン幅
Ｗ４  股刳り幅
【図１】
0003225032.tif 000003
【図２】
0003225032.tif 000004
(57)【要約】      （修正有）【課題】出産内祝いにお返しとして配られていた命名札を保管収納する命名札専用のアルバム、ファイルを提供する。【解決手段】命名札を収める台紙１にリボン２を四隅につける事により、様々なサイズの命名札を収納する。ページ数を自由に増減できるよう下げ紐大和綴じで製本を行う。また、ポケットアルバムのように透明なフィルム３でスペースを仕切り、上から安易に命名札を収納する。【選択図】図１
0003225015.tif 000002
【実用新案登録請求の範囲】
【請求項１】
短冊状の命名札を収納する為に、台紙の四隅にリボンを設け、流通している様々なサイズの命名札を収納する事が出来る命名札専用アルバム。ページ数は自由に増減できるように下げ紐大和綴じでの製本を行っている。また、ポケットアルバムのように透明なフィルムにスペースを仕切る事により、容易に命名札を収める事が出来る。
命名札を保管、収納する為の、命名札専用のアルバム、ファイル。
【考案の詳細な説明】
【技術分野】
【０００１】本考案は、短冊状の命名札を収める事が出来る命名札専用のアルバム、ファイルである。
【背景技術】
【０００２】出産内祝いのお返しとして配られる命名札、古くからの日本の風習と言われてきましたが、現在ではその習慣も少なくなってきました。その命名札という文化が今尚、根強く残っているのが沖縄県です。現在でも多い人では１５０枚の命名札を所持し、古くなればなるほど縁起がいいと言われ、台所や床の間、家のめだつところに掲示され大事にされてきました。ところが、昨今の住居環境問題もあり、狭小住宅等には命名札を掲示するだけの十分なスペースもなく、一つのファイルに重なり保管されていたり、行き場が無くなった命名札は破棄されたりしてきました。
【先行技術文献】
【特許文献】
【０００３】
【特許文献１】実登３００５０７３
【考案の概要】
【考案が解決しようとする課題】
【０００４】  従来、出産内祝い等で配られる命名札。地方の風習によっては長期間壁などに掲示しておくと縁起がいいという風習もあり、保管する家庭も多くあった。ところが、命名札専用のアルバムやファイルというものは無く、代用として文具用のファイル等に無造作に収められていたり、行き場が無くなり破棄されたりしていた。そこで、命名札専用のアルバム、ファイルを作る事でこの課題を解決しようとするものである。
【課題を解決するための手段】
【０００５】本考案は様々なサイズの短冊状の命名札を収納出来るように、一枚の短冊状の命名札を収納する為の台紙の四隅にリボンを設け、様々なサイズの命名札を収納できるようにした。また、ページ数は自由に増減する事が出来るように大和綴じでの製本で、誰にでも簡単に取り外し、並び替える事ができる。
また、ポケットアルバムのような透明のフィルムに仕切りがあるタイプのものもあり、安易に収納する事ができる。
【考案の効果】
【０００６】上述の様に、本考案の命名札を収めるアルバムを使用する事で、これまで一つのファイルに無造作に保管されたりしていた命名札や、行き場を無くし破棄されていた命名札を一つ一つ丁寧に収納、保管し、見返す事が出来る。これにより、受け継がれてきた風習、文化をより良い形で伝え、残し、広げていくことが出来る。
【図面の簡単な説明】
【０００７】
【図１】  本考案の命名札を収めるアルバムの正面図である。
【考案を実施するための形態】
【０００８】以下、本考案を実施するための形態について説明する。
短冊状の命名札を収納する為の台紙（１）の四隅に（２）リボンを設ける。リボンを設ける事によって流通している様々なサイズの命名札を収納する事か出来る。また、一枚の命名札が収められている台紙は、大小、サイズ違いのページに並列に並べられており、台紙が張られたページには紐を通すための穴が空いており、下げ紐大和綴じでの製本を行っているので、数は自由に、誰にでも簡単に増減できる。
また、ポケットアルバムのような仕切られたフィルム（３）の上から安易に命名札を収納する事が出来るものもある。
【符号の説明】
【０００９】１  台紙
２  リボン
３  仕切りがあるフィルム
【図１】
0003225015.tif 000003
【手続補正書】
【提出日】令和1年11月14日(2019.11.14)
【手続補正１】
【補正対象書類名】実用新案登録請求の範囲
【補正対象項目名】全文
【補正方法】変更
【補正の内容】
【実用新案登録請求の範囲】
【請求項１】
短冊状の命名札を収納する為に台紙の四隅にリボンを設け、そこに差し込むようにして流通している様々なサイズの命名札を収納する事が出来、ページ数は自由に増減できるように下げ紐大和綴じでの製本を行い、また、ポケットアルバムのように透明なフィルムにスペースを仕切る事により、安易に命名札を納める事が出来る、命名札を保管収納する為の、命名札を納める専用のアルバム、ファイル。
(57)【要約】      （修正有）【課題】肩に背負うリュックサック、及びカバンなどの肩中の定位置から、滑り落ちない、肩掛け補助具を提供する。【解決手段】ランドセル、カバンなど肩中に背負うものにおいて、ベルト及び帯にそう、補助ベルトに、形状記憶合金及び樹脂板で形成された肩掛け補助具２を内装させ、かつ合成布３で包み、補助ベルトに留メ具で固着する。【選択図】図１
0003225013.tif 000002
【実用新案登録請求の範囲】
【請求項１】
ランドセル．カバンなど肩中に背負うものにおいて、ベルト及び帯にそう、補助ベルトに、形状記憶合金及び樹脂板で形成された肩賭け補助具を内装させ、かつ合成布等で包み、補助ベルトに留メ具で固着することを特徴とする肩掛け補助具。
【考案の詳細な説明】
【技術分野】
【０００１】本発明は肩に背負う、カバン．ナップザック．リュックサックなど、肩に背負う物入れのベルト又は帯に関する、ものである。【０００２】本件の核心分である、形状記憶合金及び樹脂板の肩の中心部に重量が一番かかる一点を、体形に合うよう逆Ｕ字形に成型に成型してベルト内に装着して、合成布で全体【０００３】成型した肩掛け補助具の、左、右２本を、カバン又は、リュックサックなど物入れに上部背中より、下部背中よりに、左、右、各物入れに装着固着し肩掛け補助具とする。
【背景技術】
【０００４】カバン、リュックサックなどは、長時間使用するため補強する、技術が提案される。
【先行技術文献】
【特許文献】
【０００５】
【特許文献１】特開平９−１３１２０９号公報
【特許文献２】特開２００３−０９３１２６号公報
【考案の概要】
【考案が解決しようとする】
【０００６】物品を背中に背負う場合、物品が重量及び振動などの影響で従来の位置より、下がり歩行時、不安定な状態になります。
【課題を解決するための手段】
【０００７】そこで逆Ｕ字形の形状記憶合金樹脂板を、ベルト又は帯の中に固着し左、右各１本を、カバン又は、リュックサックの背中上部と、背中側下部に、上部、下部にそれぞれ固着する。
【考案の効果】
【０００８】激しい運動にも、背中の物入れは、定位置に定まり、安心して行動が可。
【図面の簡単な説明】
【０００９】
【図１】本件に係わる肩掛け補助具を示す斜視図である。
【図２】肩掛け補助具の詳細を示す平面拡大図である。
【図３】形状記憶合金で形成された肩掛け補助具の状態を示す側面図である。
【図４】肩掛け補助具を補助ベルトに、係止する、留め具ハトメの側面図である
【考案を実施するための形態】
【００１０】ランドセル、カバンなど、背中に背負うものランドセル本体において、微調整ベルト及び帯に添う補助ベルトに形状記憶合金及び樹脂板で形成された肩掛け補助具（２）を内装させかつ（３）合成布で包み掛け具合等、長さを調整する、キャスター（５）を取り付け補助ベルト（６）に留め具ハトメ（１）で固着したことを特徴とする肩掛け補助具。
【００１１】前記留め具は、両面カシメ金具でもよい。
【符号の説明】
【００１２】１．  ハトメ金具
２．  肩掛け補助具
３．  合成布
４．  外側布カバー
５．  キャスター
６．  微調整ベルト
【図１】
0003225013.tif 000003
【図２】
0003225013.tif 000004
【図３】
0003225013.tif 000005
【図４】
0003225013.tif 000006
【手続補正書】
【提出日】令和1年11月14日(2019.11.14)
【手続補正１】
【補正対象書類名】実用新案登録請求の範囲
【補正対象項目名】請求項１
【補正方法】変更
【補正の内容】
【請求項１】
ランドセル、カバンなど肩中に背負うものにおいて、ベルト及び帯にそう、補助ベルトに、形状記憶合金及び樹脂板で形成された肩掛け補助具を内装させ、かつ合成布で包み、補助ベルトに留メ具で固着することを特徴とする肩掛け補助具。
(57)【要約】      （修正有）【課題】電気式の焼印具を提供する。【解決手段】一端に把手４を備えるとともにヒーターを内蔵した支柱３と、上記ヒーターの熱が伝わるように上記支柱の他端に取り付けられた印盤１を備え、上記印盤の支柱側から見た形状は焼印を施すべき形状に加工され、上記印盤の側面の断面形状は印面側が長辺をなす台形状になるように構成した。【選択図】図１
0003225020.tif 000002
【実用新案登録請求の範囲】
【請求項１】
一端に把手を備えるとともにヒーターを内蔵した支柱と、上記ヒーターの熱が伝わるように上記支柱の他端に取り付けられた印盤を備え、上記印盤の支柱側から見た形状は焼印を施すべき形状に加工され、上記印盤の側面の断面形状は印面側が長辺をなす台形状になるように構成した焼印
【請求項２】
印盤の支柱との結合部から離れた端部と支柱とをつなぐ支持棒を備えた請求項１記載の焼印具
【請求項３】
支柱に焼印が施される形状の上下を示すマークが施されている請求項１記載の焼印具
【考案の詳細な説明】
【技術分野】
【０００１】      本考案は、電気式の焼印具に関するものである。
【背景技術】
【０００２】従来の焼印具は四角や丸などの基盤の上に図柄や文字の印字を施された物だった為、図柄や文字が基盤の陰に隠れて押印箇所が見えなかった。
その為、一度押して印がうすい場合、正確に同じ場所に押印することが難しく、二度押しが出来なかった。
【考案の概要】
【考案が解決しようとする課題】
【０００３】      焼印を正確に押印する為に、印盤部分を横から覗き込み、押印する品物の隙間を目視して押印箇所を確認しなければならなかった。
印を押す場合、印の図柄を上下方向逆さまに押し間違う場合があった。
その為、逆さまに押印してしまった場合に、押印したかった品物が無駄になってしまう場合があった。
【考案の概要】
【考案が解決しようとする課題】
【０００４】    印を正確に押印するために、印盤部分の横から、印盤が影にならないようにしようと考えると横から覗き込んで押印しなければならなかった。
【課題を解決するための手段】
【０００５】      本考案の焼印具は、一端に把手を備えるとともにヒーターを内蔵した支柱と、上記ヒーターの熱が伝わるように上記支柱の他端に取り付けられた印盤を備え、上記印盤の支柱側から見た形状は焼印を施すべき形状に加工され、上記印盤の側面の断面形状は、印面側が長辺をなす台形状になるように構成した。
【考案の効果】印盤の底面の印の図柄や文字の外側の不必要な部分を削り落とす事で、図柄や文字のアウトラインが見えるようになり、焼印を押印する場合、押したい箇所に正確に押す事が出来るようになり、一度押して焼印の写り込みが薄い場合、図柄や文字のアウトラインが支柱側から見えるので、正確に重ねて二度押し出来るようになる。
その上、印盤上面から印盤底面に向けて、印盤断面構造を台形に加工しているので、印盤の底面の印の図柄や文字のアウトラインが支柱側から見えやすくなりさらに正確に押す事が出来るようになる。
【図面の簡単な説明】
【０００６】
【図１】本考案の焼印具の正面図である
【図２】本考案の焼印具の側面図である
【図３】本考案の焼印具の底面側から見た斜視図である
【考案を実施するための形態】
以下、本考案の焼印具を、図１〜図３を用いて説明する。
【０００７】１は底面（印面）を所定の形状に加工した印盤、
３は内部にヒーターを内蔵した支柱
４は把手で支柱につながる電気コードが中を通り電源プラグに接合されている
２は印盤１と支柱３を連結する支持棒である
６は支持棒３の中央部に取り付けられた図柄の上方向を示すガイドで天然ダイアモンドを埋め込んでいる
押印したい箇所が正確に見えるので、押印したい目標位置に正確に焼印できる。また、一度押した焼印が薄い場合は、正確に目標位置に印面を当てる事が出来る為、二度押しが出来やすく、綺麗に焼印が出来る。
また、マーカーを施すことで、印盤の図柄の上下の方向を間違わずに押す事が出来る。
【符号の説明】
【０００９】    １  印盤
２  支持脚
３  支柱
４  把手
５  プラグ
６  ガイド
【図１】
0003225020.tif 000003
【図２】
0003225020.tif 000004
【図３】
0003225020.tif 000005
(57)【要約】      （修正有）【課題】電球グローブを提供する。【解決手段】本考案に係る電球グローブは電球３に接続され、特定の規格の口金１及び筒状を呈する中間部材２を備える。中間部材２の一端には口金１に結合される絶縁部２１が設けられ、他端には電球３に結合される接続部２２が設けられ、電球３は口金１に電気的に接続される。接続部２２は電球３に対応するサイズを有する。これにより、本考案は電球３が特定の規格の口金１のサイズに合わせた接続のみが可能となる形状に形成される必要がなく、電球３の形状を更に自由に設計可能となる。【選択図】図１
0003225004.tif 000002
【実用新案登録請求の範囲】
【請求項１】
電球に接続される電球グローブであって、
特定の規格の口金と、
一端には前記口金に結合される絶縁部が設けられ、他端には前記電球に結合される接続部が設けられ、前記電球は前記口金に電気的に接続される筒状を呈する中間部材と、を備え、前記接続部は前記電球に対応するサイズを有することを特徴とする電球グローブ。
【請求項２】
前記口金と前記絶縁部との間はスレッドにより接続されることを特徴とする請求項１に記載の電球グローブ。
【請求項３】
前記接続部と前記電球との間はスレッドにより接続されることを特徴とする請求項１に記載の電球グローブ。
【考案の詳細な説明】
【技術分野】
【０００１】
本考案は、電球構成に関し、より詳しくは、電球グローブに関する。
【背景技術】
【０００２】
電球の構造はカバー４１（フィラメントを含む）及びグローブ（口金４２ともいう）を備え、口金４２は導電性金属材料で製造され、カバー４１内のフィラメントに接続され、これにより給電のための電極が形成される（図４参照）。
【考案の概要】
【考案が解決しようとする課題】
【０００３】
しかしながら、上述の口金４２のサイズは国際的な標準規格に準じて製造されており、電球がどのような形状に設計されようとも口金４２と結合可能にするように、カバー４１と口金４２との接続箇所は必ず口金４２の規格に適合するように同じサイズで形成する必要がある。図４に示されるように、カバー４１はおしゃれな紡錘状に製造されているが、口金４２の特定の規格に適合するように底端は更に細くして接続段４３を形成する必要があるが、これが本来の紡錘状のデザインを損なうこととなった。
【０００４】
そこで、本考案者は上記の欠点が改善可能と考え、鋭意検討を重ねた結果、合理的設計で上記の課題を効果的に改善する本考案の提案に至った。
【０００５】
かかる従来の実情に鑑みて、本考案は、電球グローブを提供することを目的とする。
【課題を解決するための手段】
【０００６】
上記課題を解決するために、本考案のある態様の電球グローブは、電球に接続され、
特定の規格の口金と、
一端には前記口金に結合される絶縁部が設けられ、他端には前記電球に結合される接続部が設けられ、前記電球は前記口金に電気的に接続される筒状を呈する中間部材と、を備え、前記接続部は前記電球に対応するサイズを有する。
【０００７】
好ましくは、前記口金と前記絶縁部との間はスレッドで接続され、前記接続部と前記電球との間はスレッドで接続される。
【考案の効果】
【０００８】
本考案によれば、電球は特定の規格の口金のサイズに適合するように接続のみが可能な形状に形成する必要がなく、電球の形状をより自由に設計可能となる。
【図面の簡単な説明】
【０００９】
【図１】本考案に係る電球を説明する平面の概略図である。
【図２】本考案に係る電球を説明する平面分解の概略図である。
【図３】本考案の他の電球を説明する平面の概略図である。
【図４】従来の電球構成を説明する平面分解の概略図である。
【考案を実施するための形態】
【００１０】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１１】
以下、図１〜３を参照しながら、本考案をさらに詳しく説明する。まず、図１及び図２は本考案に係る電球グローブであり、電球３に接続される。前記電球３はカバー３１及び内部のフィラメント（図示省略）を備える。本考案のグローブは口金１及び中間部材２を有する。前記口金１は導電性の金属材料で製造され、第一スレッド段１１が設けられる。前記口金１は国際標準に準ずるように製造され、特定の規格のサイズで形成され、任意のサイズではない。
【００１２】
前記中間部材２は筒状を呈し、絶縁部２１及び接続部２２を備える。前記絶縁部２１は非導電性のプラスチック材質で製造され、その口径は前記口金１に対応し、第二スレッド段２３が設けられ、これにより前記口金１の第一スレッド段１１に螺合される。前記接続部２２の一端は前記絶縁部２１に固定され、他端は前記電球３に対応するサイズを有すると共に第三スレッド段２４が設けられ、電球３を進入させて螺合させる。前記電球３のフィラメントは前記中間部材２を通過させて前記口金１に電気的に接続される。
【００１３】
上述の構造により、前記電球３はその形状により対応するサイズを有する前記中間部材２の接続部２２に直接取り付け可能となり、前記口金１の特定の規格のサイズに適合させて接続に適する構造に形成する必要がなく、造型が崩れて外観に影響することがなくなる（図１参照）。つまり、前記接続部２２は前記電球３に対応するサイズに設計されれば、前記電球３に適切に取り付けて結合されるようになる。
【００１４】
さらに、前記電球３'がその設計思想に基づいて太めの形状に形成される場合、そのサイズに対応する中間部材２'を選択することにより特定の規格の口金１に接続されるようになる。前記口金１の特定サイズに合わせて接続に適する構造を幾つも製造する必要がなく、造型が崩れて外観に影響することもなくなる（図３参照）。
【００１５】
上述した実施形態は、本考案が属する技術分野における通常の知識を有する者が本考案を実施できることを目的として記載されたものである。上記実施形態の種々の変形例は、当業者であれば当然になしうることであり、本考案の技術的思想は他の実施形態にも適用しうる。したがって、本考案は、記載された実施形態に限定されることはなく、実用新案登録請求の範囲によって定義される技術的思想に従った最も広い範囲に解釈されるものである。
【符号の説明】
【００１６】
１  口金
１１  第一スレッド段
２  中間部材
２'  中間部材
２１  絶縁部
２２  接続部
２３  第二スレッド段
２４  第三スレッド段
３  電球
３'  電球
３１  カバー
４１  カバー
４２  口金
４３  接続段
【図１】
0003225004.tif 000003
【図２】
0003225004.tif 000004
【図３】
0003225004.tif 000005
【図４】
0003225004.tif 000006
(57)【要約】      （修正有）【課題】構造が簡単で、使用コストが低い腹筋ディスク器材で、ユーザはいつでもどこでも腹筋トレーニングを行うことができ、時間や場所の制限を受けることがなく、使い方も簡単でトレーニング方法も学びやすい腹筋ディスクを提供する。【解決手段】腹筋ディスクは、主体１と二つの持ち手２を有する。主体１の上表面はユーザがあぐら座りするのに用い、主体１の下表面には球面を設け、球面は主体１が回転するための支点に用いられる。二つの持ち手２は主体１の両側にそれぞれ対称に設ける。【選択図】図１
0003225006.tif 000002
【実用新案登録請求の範囲】
【請求項１】
主体と二つの持ち手を有する腹筋ディスクにおいて、
前記主体の上表面は、ユーザがあぐら座りするのに用い、下表面には球面を設け、前記球面は前記主体を回転させるための支点として用いられ、
前記二つの持ち手は、前記主体の両側にそれぞれ対称に設けることを特徴とする腹筋ディスク。
【請求項２】
前記主体は、円盤状であることを特徴とする請求項１記載の腹筋ディスク。
【請求項３】
前記主体の上表面にはユーザがあぐら座りするための座面を設けることを特徴とする請求項１記載の腹筋ディスク。
【請求項４】
前記持ち手の下表面にはユーザが手指で掴むための複数の滑止め槽を設けることを特徴とする請求項１記載の腹筋ディスク。
【請求項５】
前記主体と球面はセパレート設計であり、前記球面の周辺縁は前記主体の下表面にネジを通して固定することを特徴とする請求項１記載の腹筋ディスク。
【考案の詳細な説明】
【技術分野】
【０００１】
本考案は、トレーニング器具に関するもので、特に腹筋ディスクに係わる。
【背景技術】
【０００２】
生活の質が高くなってくると、人々は健康を重視するようになる。そして室内で使用する様々なトレーニング器材が市場に出回り、人々は家庭やジムでトレーニングする。身体の異なる部位の筋肉には各種のトレーニング器材の構造もまったく異なり、使い方も異なる。
【０００３】
現在、よく目にする腹部のトレーニング器材は山形式の腹筋ベンチで、ジムで多く見られるが、時間や場所の制限を受け、更に使用コストが高い。また腹筋ローラーはトレーニング方法が単一で、使用時の変化に乏しいため、ユーザはトレーニングに飽きやすい。
【考案の概要】
【考案が解決しようとする課題】
【０００４】
構造が簡単で、コストが低い特徴を備え、どこでも使用でき、自由自在で便利な腹筋ディスクを提供することを本考案の目的とする。
【課題を解決するための手段】
【０００５】
上述の目的を達成するため、腹筋ディスクは、主体と二つの持ち手を有する。主体の上表面はユーザがあぐら座りするのに用い、主体の下表面には球面を設け、球面は主体が回転するための支点に用いられる。二つの持ち手は主体の両側にそれぞれ対称に設ける。
【０００６】
主体は円盤状である。
【０００７】
主体の上表面はユーザがあぐら座りするための座面を設ける。
【０００８】
持ち手の下表面はユーザが手指で掴むための複数の滑止め槽を設ける。
【０００９】
主体と球面はセパレート設計であり、球面の周辺縁は主体の下表面にネジで固定する。
【考案の効果】
【００１０】
本考案の腹筋ディスクは、構造が簡単で、使用コストが低い腹筋ディスク器材であり、上述技術方案を採用することで、ユーザはいつでもどこでも腹筋トレーニングを行うことができ時間や場所の制限を受けることがなく、使い方も簡単でトレーニング方法も学びやすいという利点がある。
【図面の簡単な説明】
【００１１】
【図１】本考案の具体的実施例の立体図である。
【図２】本考案の具体的実施例の正面図である。
【図３】本考案の具体的実施例の俯瞰図である。
【図４】本考案の具体的実施例の側視図である。
【図５】本考案の具体的実施例の仰視図である。
【図６】本考案の具体的実施例の使用状態図である。
【考案を実施するための形態】
【００１２】
本考案の技術方案を更に説明するため、具体的実施例を挙げて詳細に説明する。
（一実施形態）
【００１３】
本考案は、腹筋ディスクであり、それは主体１と二つの持ち手２を有する。主体１の上表面はユーザがあぐら座りするのに用い、主体１の下表面は球面３を設け、主体１が回転するための支点として用いられる。上述二つの持ち手２は主体１の両側にそれぞれ対称に設ける。
【００１４】
図１から図５に示すのは、本考案の具体実施例である。
【００１５】
主体１は円盤状であり、生産しやすく且つユーザが使用する時、重心を制御しやすい。
【００１６】
主体１の上表面はユーザがあぐら座りするための座面４を設けることでユーザがあぐら座りする時の快適性が向上し、ユーザが本考案を使用する時に発生するトレーニング以外のネガティブフィードバックを回避する。
【００１７】
持ち手２の下表面にはユーザが手指で掴むための複数の滑止め槽２１を設けることで、ユーザが本考案を使用する時に持ち手２をしっかりと掴むことを確実にし、手指が滑ってユーザが転倒事故を起こすのを防止する。
【００１８】
主体１と球面３はセパレート設計であり、球面３の周辺縁は主体１の下表面にネジ５で固定する。そのため球面３の摩耗が激しい時、球面３を主体１から取り外して交換することができる。
【００１９】
図６に示すとおり、本考案を使用時、主体１を地面またはその他安定した平面上に置き、主体１の上表面にユーザがあぐら座りし、両手で主体１両側の持ち手２をそれぞれ下向きに掴む。この時、ユーザは腹部に力を入れ自身を球面３と地面の接触点を支点として揺らしたり、回転點せたりして、決まった回数の動作を一セットとして何度も行う。揺らしたり、回転させたりする方式を切り替えて行い、腹筋トレーニングの目的を達成する。
【００２０】
上述構造から、本考案は構造が簡単で、利用コストが低い腹筋ディスク器材であり、ユーザはいつでもどこでも腹筋トレーニングを行うことができ時間や場所の制限を受けることがなく、使い方も簡単でトレーニング方法も学びやすい。
【００２１】
上述実施例と図式は、本考案の形態と様式を制限するものではなく、当領域に習熟した技術者が考える変化または修飾は、すべて本考案請求範囲に含まれるものとする。
【符号の説明】
【００２２】
１        主体
２        持ち手
２１        滑止め槽
３        球面
４        座面
５        ネジ
【図１】
0003225006.tif 000003
【図２】
0003225006.tif 000004
【図３】
0003225006.tif 000005
【図４】
0003225006.tif 000006
【図５】
0003225006.tif 000007
【図６】
0003225006.tif 000008
(57)【要約】      （修正有）【課題】他の洗濯物と混ざることなしに洗濯ができる靴下洗濯ハンガーを提供する。【解決手段】柔らかくて細い線の両端に、１足分（２個）の靴下を繋ぎ止めた状態で、洗濯機に入れて洗濯をすることにより、１足分の靴下がバラバラになる事無く洗濯ができ、又、他の洗濯物と一緒に洗濯をしても、繋ぎとめられた靴下１足分は分離されていない為、簡単に取り出すことが出来る。【選択図】図１
0003225041.tif 000002
【実用新案登録請求の範囲】
【請求項１】
靴下を洗濯する場合に、１足（２本）の靴下を柔らかくて細い線の先に取り付けられた洗濯ばさみで挟んで固定して、他の洗濯物と一緒に洗濯をするようにしたところ、他の洗濯物とは混ざることなしに洗濯が出来る事を特徴とする、靴下洗濯ハンガーである。
【考案の詳細な説明】
【技術分野】
【０００１】  本考案は、靴下１足分を、軟らかい樹脂成形したハンガーに固定し、その状態で、洗濯機にかけて、洗濯が終わった時には、ハンガーから靴下を取り外さなくても、そのまま物干しができるようにしたものである。
【背景技術】
【０００２】  洗濯機で靴下を洗濯する場合、洗濯が終わった時には、他の洗濯物と混ざってしまっているために、その中から目的の靴下を探すことに手間が掛かってしまっていた。
【先行技術文献】
【特許文献】
【０００３】
【特許文献１】特開２０１５−０７３８７８
【０００４】
【特許文献２】特開２０１３−０５２２１３
【０００５】
【特許文献３】特開２０１２−０５５３８３
【考案の概要】
【考案が解決しようとする課題】
【０００６】  靴下を洗濯する場合には、靴下１足分であっても二つの洗濯物になり、また、同時に他の洗濯物も一緒に洗濯をするのであるため、洗濯が終わった後に、目的の靴下を探すことに時間が掛かり、ましてや、他にも靴下の洗濯物がある場合は更に洗濯後の仕分けに時間が掛かってしまっている。
【課題を解決するための手段】
【０００７】  上記の課題に鑑みて試された、本考案の目的を達成させる手段として、靴下一足分を、他の洗濯物とは簡単に分離できるようにしたものであります。
【考案の効果】
【０００８】  本考案の効果の一つとしては、目的とする靴下を、他の洗濯物とは完全に区別できるという事である。一般的に洗濯物を洗濯機で洗濯する場合は、靴下のように小さなものから、下着やシャツ、ズボンなど、大きなものまでが混ざっており、また靴下の洗濯にしても、同時に複数の靴下を洗濯した場合は、洗濯後に物干しで乾燥させる時に、各々を区分けしなくてはならなくなる。
本考案の効果は、多くの洗濯物の中から目的の靴下をすこぶる簡単に取り出し、そのまま物干し場にての乾燥をさせることが出来ることにある。
【図面の簡単な説明】
【０００９】
【図１】本考案に於いて１足の靴下を柔らかくて細い線で繋ぎ、その線の端に洗濯ばさみを取り付けて、その洗濯ばさみで靴下を挟んで固定したことを示した図である。
【符号の説明】
【００１０】  １  洗濯をする目的の靴下
２  一足の靴下を繋ぎとめる柔らかくて細い線
３  靴下を細い線に固定する、洗濯ばさみ
【考案を実施するための形態】
【００１１】  本考案により、靴下の洗濯をする場合において、先ずは、軟らかくて細い線の両端に洗濯ばさみを取り付ける。その洗濯ばさみで１足の靴下２本を各々固定する。その結果細い線の両端に靴下の１本ずつが固定されることになる。
【実施例】
【００１２】  以下、添付図面に従って実施例を説明する。１は、洗濯をする目的の靴下である。その靴下１足分（２本）を、２の、プラスチックの様に柔らかくて細い線の端に、３の洗濯ばさみを取り付け、その洗濯ばさみに靴下２本を取り付けた後で、洗濯機にて洗濯を開始する。洗濯機の中には、他の多くの洗濯物が入っていても、目標とする靴下は、細い線の端の洗濯ばさみで固定されているので、洗濯が終了したときに簡単に取り出すことが出来る。【００１３】洗濯が終わった時には、２のプラスチックの様に柔らかい線に靴下を挟んだまま物干し台の横長のポールに掛けるだけで、物干しの作業は完了する。【００１４】
【図１】
0003225041.tif 000003